(57)【特許請求の範囲】
【請求項１】
電線を絶縁カバーするための、ヒンジタイプの電線絶縁カバーであって、
ヒンジにより連結された２つ割れのカバー本体部の長手方向の端部の一方はカバー封止用のスナップを、他方は前記カバー封止用のスナップ孔をそれぞれ有し、
前記端部に前記カバー封止用のスナップを有する側の前記カバー本体部の内側には、前記電線を仮固定するための２組のフックを有し、
前記フックは前記電線を把持する凹部と、該凹部に前記電線絶縁カバーが前記電線を軸に回転することを防止する回転防止機構とを有し、
前記回転防止機構は、前記電線の中心軸方向に撚られて形成される撚線の前記中心軸と成す角度に対応する傾斜角を有するリブにより構成されることを特徴とする電線絶縁カバー。
【発明の詳細な説明】
【技術分野】
【０００１】
本発明は、電線を絶縁カバーするための、ヒンジタイプの電線絶縁カバーに係り、詳しくは、電線絶縁カバーの取付け作業が容易となる電線絶縁カバーに関する。
【背景技術】
【０００２】
図５は、従来の電線絶縁カバーの構成を示す構成図である。図５ａにおいて、従来の電線絶縁カバー２００は、２つ割れのカバー本体部１０−１、１０−２がヒンジ２０により結合されて開閉を自在に行うことができる。また、２つ割れのカバー本体部１０−１の長手方向の端部はカバー封止用のスナップ３０を、２つ割れのカバー本体部１０−２の長手方向の端部はカバー封止用のスナップ孔４０をそれぞれ有し、このスナップ３０とスナップ孔４０により、２つ割れのカバー本体部１０−１、１０−２が閉じられて固定される。端部にカバー封止用のスナップ３０を有する側のカバー本体部１０−１の内側には、電線（図示せず）に差し込まれる２組のフック５０を有している。図５ｂは、２つ割れのカバー本体部１０−１、１０−２がヒンジ２０を上側にして閉じられ、カバー封止用のスナップ３０とスナップ孔４０とが嵌合した状態を示している。
【０００３】
図６は、従来の電線絶縁カバーの設置を示す設置工法図である。図６において、電線絶縁カバー２００の取付けを間接活線工法で施工する場合、まず、開口状態の電線絶縁カバー２００を絶縁ヤットコ８０により把持し、２組のフック５０により電線７０を捉える。次に、再び絶縁ヤットコ８０により、電線絶縁カバー２００を閉じスナップ３０とスナップ孔４０とを嵌合する操作を行う。
【０００４】
ところがこの段階で絶縁ヤットコ８０により電線絶縁カバー２００を閉じようとすると、フック５０は電線７０を単に捕まえているだけであるため、電線絶縁カバー２００が電線７０を軸に回転するというトラブルが発生し、安定してスナップ３０とスナップ孔４０とを嵌合させることが困難となる。
【０００５】
特許文献１には、２つ割れのカバー本体部１０−１、２のいずれか一方の内側には、電線の絶縁被覆が部分的に除去された箇所の両側の絶縁被覆の切断部５５−１、２の片側にそれぞれ独立して嵌合する２組の横ズレ防止用のフック２０−１を含み、２組の横ズレ防止用のフック２０−１の各組は、２つの支持部２３から構成され、２つの支持部２３の各々は、絶縁被覆の切断部５５−１、２に嵌合する嵌合部２５と、絶縁被覆が部分的に除去された導体部５０の外径に対し自在に適合し把持する内面溝２７を具備し、各組の２つの支持部２３は、嵌合部２５が互いに絶縁被覆の切断部５５−１、２の片側に嵌合し、内面溝２７が互いに導体部５０を把持する位置に、２つ割れのカバー本体部１０−２の内側の長手方向の中心線に対向して設置される、旨の記載がある。
【先行技術文献】
【特許文献】
【０００６】
【特許文献１】特願２００９−２９１２０４号公報
【発明の概要】
【発明が解決しようとする課題】
【０００７】
本発明は、このような問題を解決するためになされたものであり、その目的は、ヒンジタイプの電線絶縁カバーの取付け作業が容易となる電線絶縁カバーを提供する。
【課題を解決するための手段】
【０００８】
本発明の電線絶縁カバーは、電線を絶縁カバーするための、ヒンジタイプの電線絶縁カバーであって、ヒンジにより連結された２つ割れのカバー本体部の長手方向の端部の一方はカバー封止用のスナップを、他方はカバー封止用のスナップ孔をそれぞれ有し、端部にカバー封止用のスナップを有する側のカバー本体部の内側には、電線を仮固定するための２組のフックを有し、フックは電線を把持する凹部と、該凹部にフック５０電線絶縁カバーが電線を軸に回転することを防止する回転防止機構とを有し、回転防止機構は、電線の中心軸方向に撚られて形成される撚線の中心軸と成す角度に対応する傾斜角を有するリブにより構成されることを特徴とする。
【発明の効果】
【０００９】
本発明によれば、ヒンジタイプの電線絶縁カバーの取付け作業が容易となる電線絶縁カバーを提供することができる。
【図面の簡単な説明】
【００１０】
【図１】本発明による電線絶縁カバーの構成を示す構成図。
【図２】本発明による回転防止機構を示す構成図
【図３】本発明によるフックの電線把持状態を示す電線把持図。
【図４】本発明による電線絶縁カバーの設置を示す設置工法図。
【図５】従来の電線絶縁カバーの構成を示す構成図。
【図６】従来の電線絶縁カバーの設置を示す設置工法図。
【発明を実施するための形態】
【実施例】
【００１１】
本発明の実施の形態について、図を用いて説明する。図１は、本発明による電線絶縁カバーの構成を示す構成図である。図１において、電線絶縁カバー１００は、端部にカバー封止用のスナップ３０を有するカバー本体部１０−１の内側における２組のフック５０の内部に、電線絶縁カバー１０−１．２が電線７０を軸に回転することを防止する回転防止機構であるリブ５５を有している点が図３と異なり、他は同様であるため、重複する部分の説明は省略する。つぎに、この回転防止機構について詳細に説明する。
【００１２】
図２は、本発明の電線絶縁カバーの回転防止機構を示す構成図である。図２ａは、２つ割れのカバー本体部１０−１、１０−２がヒンジ２０を上側にして閉じられ、カバー封止用のスナップ３０とスナップ孔４０とが嵌合した状態を示している。図２ａにおいて、回転防止機構であるリブ５５は、フック５０の凹部５１上に、電線７０の中心軸方向に撚られて形成される撚線が中心軸と成す角度に対応する傾斜角を有して構成されている。図２ｂは、図２ａにおけるＡＡ断面図である。図２ｂにおいて、リブ５５は、電線７０の撚線の中心軸と平行を成す一点鎖線と、撚られて形成された撚線との角度（撚線角度α）に対応した角度に構成されている。
【００１３】
図３は、本発明によるフックの電線把持状態を示す電線把持図である。図３において、フック５０は、対向する凹部５１により、電線７０の被覆が取り除かれた撚線を把持している。また、リブ５５は、電線７０の撚線の、撚られて形成される撚線角度αに沿って、互いに隣接する撚線の間に密着している。
【００１４】
図４は、本発明による電線絶縁カバーの設置を示す設置工法図である。図４において、電線絶縁カバー１００の取付けを間接活線工法で施工する場合、図６と同様に、開口状態の電線絶縁カバー１００を絶縁ヤットコ８０により把持し、２組のフック５０により電線７０を捉える。このとき、フック５０、及びリブ５５は、図３に示される状態となっている。次に、再び絶縁ヤットコ８０により、電線絶縁カバー２００を閉じスナップ３０とスナップ孔４０とを嵌合する操作を行う。
【００１５】
このように、絶縁ヤットコ８０で電線絶縁カバー１００を閉じる場合、リブ５５が隣接する撚線の間に完全に密着しているため、電線絶縁カバー１００が電線７０を軸に回転するというトラブルは発生せず、安定してスナップ３０とスナップ孔４０とを嵌合させることができる。
【００１６】
以上説明したように本発明によれば、ヒンジタイプの電線絶縁カバーの取付け作業が容易となる電線絶縁カバーを提供することができる。
【符号の説明】
【００１７】
１０−１，１０−２  カバー本体部
２０  ヒンジ
３０  スナップ
４０  スナップ孔
５０  フック
５５  リブ
６０  絶縁ヤットコ
７０  電線
１００  本発明による絶縁電線カバー
２００  従来の電線絶縁カバー
【図１】
0005578995.tif 000002
【図２】
0005578995.tif 000003
【図３】
0005578995.tif 000004
【図４】
0005578995.tif 000005
【図５】
0005578995.tif 000006
【図６】
0005578995.tif 000007